(57)【要約】  本発明の実施形態は、モバイル通信の分野に関する。メディアファイルを関連付けるための方法およびデバイスが開示され、この方法は、第１メディアファイルに関連付けられた第２メディアファイルおよび第２メディアファイルについてのダイジェスト情報を第１メディアファイルの関連付けセグメントに書き込むステップと、第２メディアファイルについてのダイジェスト情報を使用して、第１メディアファイルを取り出すステップと、第１メディアファイルを再保存するステップとを含む。本発明は、複雑なファイル関連付け管理を回避することができる。
2013534764.tif 000002
【特許請求の範囲】
【請求項１】
第１メディアファイルに関連付けられた第２メディアファイルおよび前記第２メディアファイルのアブストラクト情報を前記第１メディアファイルの関連付けセグメントに書き込むステップと、
前記第１メディアファイルを再記憶するステップと、
を含み、
前記第２メディアファイルの前記アブストラクト情報は、前記第１メディアファイルを取り出すために使用されることを特徴とするメディアファイルを関連付けるための方法。
【請求項２】
第１メディアファイルに関連付けられた第２メディアファイルおよび前記第２メディアファイルのアブストラクト情報を前記第１メディアファイルの関連付けセグメントに書き込むステップの前に、
前記第１メディアファイルにおける前記関連付けセグメントを設定するステップをさらに含むことを特徴とする請求項1に記載のメディアファイルを関連付けるための方法。
【請求項３】
前記第１メディアファイルを再記憶するステップの後に、
前記第１メディアファイルの前記関連付けセグメントに記憶された前記第２メディアファイルの前記アブストラクト情報に従って、前記第１メディアファイルを取り出すステップをさらに含むことを特徴とする請求項2に記載のメディアファイルを関連付けるための方法。
【請求項４】
前記第１メディアファイルを再記憶するステップの後に、
前記第１メディアファイルを再生するときに、前記第２メディアファイルを再生するステップをさらに含むことを特徴とする請求項3に記載のメディアファイルを関連付けるための方法。
【請求項５】
前記第１メディアファイルが音声ファイルであり、前記第２メディアファイルが画像ファイルであるか、または、
前記第１メディアファイルが画像ファイルであり、前記第２メディアファイルが音声ファイルであることを特徴とする請求項1から4のいずれか一項に記載のメディアファイルを関連付けるための方法。
【請求項６】
第１メディアファイルに関連付けられた第２メディアファイルおよび前記第２メディアファイルのアブストラクト情報を前記第１メディアファイルの関連付けセグメントに書き込むように構成された挿入モジュールと、
前記第１メディアファイルを再記憶するように構成された格納モジュールと、
を備え、
前記第２メディアファイルの前記アブストラクト情報が、前記第１メディアファイルを取り出すために使用されることを特徴とするメディアファイルを関連付けるためのデバイス。
【請求項７】
前記第１メディアファイルにおける前記関連付けセグメントを設定するように構成された設定モジュールをさらに備えることを特徴とする請求項6に記載のメディアファイルを関連付けるためのデバイス。
【請求項８】
前記第１メディアファイルの前記関連付けセグメントに記憶された前記第２メディアファイルの前記アブストラクト情報に従って、前記第１メディアファイルを取り出すように構成された取出しモジュールをさらに備えることを特徴とする請求項7に記載のメディアファイルを関連付けるためのデバイス。
【請求項９】
前記第１メディアファイルにおける前記関連付けセグメント内のコンテンツを削除するように構成された削除モジュールをさらに備え、
前記格納モジュールが、前記第１メディアファイルにおける前記関連付けセグメント内の前記コンテンツが削除された後に、前記第１メディアファイルを再記憶するようにさらに構成されることを特徴とする請求項8に記載のメディアファイルを関連付けるためのデバイス。
【請求項１０】
前記第１メディアファイルを再生するときに、前記第２メディアファイルを再生するように構成された再生モジュールをさらに備えることを特徴とする請求項9に記載のメディアファイルを関連付けるためのデバイス。
【発明の詳細な説明】
【技術分野】
【０００１】
本発明は、モバイル通信の分野に関し、特に、メディアファイルを関連付けるための方法およびデバイスに関する。
【０００２】
本出願は、2010年10月28日に中国特許庁に出願された「METHOD AND DEVICE FOR ASSOCIATING MEDIA FILES」という表題の中国特許出願第CN201010528589.4号の優先権を主張するものであり、その全体が参照により本明細書に組み込まれる。
【背景技術】
【０００３】
現在、ローカルに記憶された音声ファイルと写真ファイルとの間には関連付けがない。音声ファイルは、オーディオポストカード(AudioPostcard)サービスおよびマルチメディアメッセージングサービスなどのアプリケーションにおいてのみ、画像ファイルに関連付けられる。
【０００４】
オーディオポストカードサービスおよびマルチメディアメッセージングサービスなどの既存のアプリケーションでは、音声ファイルと画像ファイルとの間の関連付けは、マルチメディアメッセージングサービス(Multimedia Messaging Service、略してMMS)モードを使用することによって実現される。具体的には、音声ファイルは画像ファイル(またはワードファイル)の添付ファイルとして使用され、画像ファイル(またはワードファイル)とともにパックされて、オーディオポストカードサービスまたはマルチメディアメッセージングサービスを形成し、オーディオポストカードサービスまたはマルチメディアメッセージングサービスが端末に送られる。
【０００５】
しかし、MMSモードでパックされた後、音声ファイルおよび画像ファイルは依然として2つの物理的に独立したファイルであり、別々に記憶されている。端末がオーディオポストカードまたはマルチメディアメッセージをローカルにダウンロードした後、オーディオポストカードサービスまたはマルチメディアメッセージングサービスがなければ、音声ファイルと画像ファイルとの間の関連付けは存在しない。
【発明の概要】
【発明が解決しようとする課題】
【０００６】
本発明の実施形態は、メディアファイルを関連付けて、メディアファイル間の相互の関連付けを実現するための方法およびデバイスを提供する。
【課題を解決するための手段】
【０００７】
本発明の一実施形態は、
第１メディアファイルに関連付けられた第２メディアファイルおよび第２メディアファイルのアブストラクト情報を第１メディアファイルの関連付けセグメントに書き込むステップであって、第２メディアファイルのアブストラクト情報が、第１メディアファイルを取り出すために使用される、ステップと、
第１メディアファイルを再記憶するステップと、
を含む、メディアファイルを関連付けるための方法を提供する。
【０００８】
本発明の一実施形態は、
第１メディアファイルに関連付けられた第２メディアファイルおよび第２メディアファイルのアブストラクト情報を第１メディアファイルの関連付けセグメントに書き込むように構成された挿入モジュールであって、第２メディアファイルのアブストラクト情報が、第１メディアファイルを取り出すために使用される、挿入モジュールと、
第１メディアファイルを再記憶するように構成された格納モジュールと、
を含む、メディアファイルを関連付けるための方法を提供する。
【０００９】
本発明の実施形態によるメディアファイルを関連付けるための方法およびデバイスを使用することによって、第１メディアファイルに関連付けられた第２メディアファイルおよび第２メディアファイルのアブストラクト情報は、第１メディアファイルにおける関連付けセグメントに直接記憶され、関連付けセグメントにおける第２メディアファイルのアブストラクト情報に従って、第１メディアファイルを取り出すことができる。このようにして、第１メディアファイルと第２メディアファイルとの間の関連付けが実現される。編集操作(たとえば、切り取り、コピー、または名前の変更)を第１メディアで実行した後、関連付けセグメントにおける第１メディアファイルおよびそのアブストラクト情報は失われず、このことは、複雑なファイル関連付け管理を回避することができる。
【００１０】
本発明の実施形態によるまたは従来技術における技術的な解決策をより明確に例示するために、実施形態または従来技術について説明するのに必要な添付の図面を以下に簡単に紹介する。以下の説明における添付の図面は本発明のいくつかの実施形態にすぎず、当業者が創意工夫なしで添付の図面に従って他の図面をさらに得ることができることは明らかである。
【図面の簡単な説明】
【００１１】
【図１】本発明によるメディアファイルを関連付けるための方法の第1の実施形態の流れ図である。
【図２】本発明によるメディアファイルを関連付けるための方法の第2の実施形態の流れ図である。
【図３】本発明によるメディアファイルを関連付けるための方法の第3の実施形態の流れ図である。
【図４】本発明によるメディアファイルを関連付けるためのデバイスの第1の実施形態の概略構造図である。
【図５】本発明によるメディアファイルを関連付けるためのデバイスの第2の実施形態の概略構造図である。
【図６】本発明によるメディアファイルを関連付けるためのデバイスの第3の実施形態の概略構造図である。
【発明を実施するための形態】
【００１２】
本発明の目的、技術的な解決策、および利点をより明確にするために、実施形態および添付の図面を参照しながら、本発明について以下でさらに詳細に説明する。本明細書では、本発明の例示的な実施形態およびその説明は、本発明を限定するのではなく、本発明を説明するために提供されるものにすぎない。
【００１３】
図1は、本発明によるメディアファイルを関連付けるための方法の第1の実施形態の流れ図である。図1に示すように、この実施形態は以下を含む。
【００１４】
ステップ１１：第１メディアファイルに関連付けられた第２メディアファイルおよび第２メディアファイルのアブストラクト情報を第１メディアファイルの関連付けセグメント(association segment)に書き込み、第２メディアファイルのアブストラクト情報は、第１メディアファイルを取り出すために使用され得る。
【００１５】
関連付けセグメントを第１メディアファイルにおいて事前設定して、第１メディアファイルに関連付けられた第２メディアファイルおよび第２メディアファイルのアブストラクト情報を記憶することができる。第２メディアファイルのアブストラクト情報は、第２メディアファイルから抽出されたサンプリングされたコンテンツであり、第２メディアファイルを一意に識別することができる。
【００１６】
第１メディアファイルは画像ファイルであってもよく、画像ファイルに関連付けられた第２メディアファイルは音声ファイルであってもよい。または、第１メディアファイルは音声ファイルであってもよく、音声ファイルに関連付けられた第２メディアファイルは画像ファイルであってもよい。音声ファイルは、画像ファイルの写真シーンの音声説明または画像ファイルに関連付けられたバックグラウンドミュージックであってもよい。
【００１７】
ステップ１２：第１メディアファイルを再記憶(Re-store)する。
【００１８】
第２メディアファイルおよび第２メディアファイルのアブストラクト情報が関連付けセグメントに書き込まれた後、第１メディアファイルが記憶される。上記の関連付け方法を使用することによって、第２メディアファイルが第１メディアファイルの一部として第１メディアファイルの関連付けセグメントに書き込まれ、第１メディアファイルおよび第２メディアファイルの一方のみが物理的に存在する。続いて、関連付けセグメントにおけるコンテンツを変更することができ、第１メディアファイルに関連付けられたメディアファイルが変更された第２メディアファイルまたは別のメディアファイルと置き換えられるか、関連付けセグメントにおける第２メディアファイルのアブストラクト情報を変更することができる。同様に、第１メディアファイルが編集されるとき、関連付けセグメントにおけるコンテンツを編集することによって、第２メディアファイルおよびそのアブストラクト情報も編集することができる。ユーザが第１メディアファイルを開くとき、第１メディアファイルおよび第２メディアファイルが同時に再生される。
【００１９】
第１メディアファイルが画像ファイルであり、画像ファイルに関連付けられた第２メディアファイルが音声ファイルであるとき、関連付けおよび組合せ後の画像ファイルは依然として元のフォーマットで記憶されているが、オーディオソースデータのセグメントを含む。画像ファイルおよび画像ファイルに関連付けられた音声ファイルを同時に再生するために、ピクチャビューアーを使用することによって画像ファイルを開くとき、ピクチャビューアーは、音声ファイルを画像ファイル(たとえば、音声ファイルヘッダを記憶する特定のフィールド)から直接抽出し、音声ファイルをバッファに記憶し、次いで、バッファ内の音声ファイルをオーディオ再生用の基本的なコーデックデコーダに送ることができる。上記の方法を使用することによって、ユーザが開かれた画像ファイルをインターフェース上で見るとき、画像ファイルに関連付けられたオーディオがバックグラウンドで再生される。
【００２０】
この実施形態におけるメディアファイルを関連付けるための方法を使用することによって、第１メディアファイルに関連付けられた第２メディアファイルおよび第２メディアファイルのアブストラクト情報は、第１メディアファイルにおける関連付けセグメントに直接記憶され、関連付けセグメントにおける第２メディアファイルのアブストラクト情報に従って、第１メディアファイルを取り出すことができる。このようにして、第１メディアファイルと第２メディアファイルとの間の関連付けが実現される。編集操作(たとえば、切り取り、コピー、または名前の変更)を第１メディアで実行した後、関連付けセグメントにおける第１メディアファイルおよびそのアブストラクト情報は失われない。したがって、複雑なファイル関連付け管理を回避することができる。
【００２１】
図2は、本発明によるメディアファイルを関連付けるための方法の第2の実施形態の流れ図である。この実施形態は、音声ファイルおよび画像ファイルを一例として使用することによって、本発明によるメディアファイルを関連付けるための方法の技術的な解決策について説明している。図2に示すように、この実施形態は以下を含む。
【００２２】
ステップ２１：画像ファイルにおける関連付けセグメントを設定する。
【００２３】
画像ファイルのファイルヘッダにおける予約済みフィールドを使用して、画像ファイルに関連付けられた音声セグメント情報を記録することができる。たとえば、JPEGファイルの場合、新しいセグメントを追加して音声ファイルを記憶することができ、このセグメントは1から65535の範囲とすることができる。したがって、4.75kbit/sのビットレートを有するAMR(Audio/Modem Riser:オーディオ/モデムライザー)オーディオストリームが記憶される場合、120秒間続く音声セグメントを記憶することができる。加えて、JPEGファイルにおける画像解像度情報を記憶するフィールドまたは地理的な座標情報を記憶するフィールドを使用して、音声ファイルおよびそのアブストラクト情報を記憶することができる。
【００２４】
ステップ２２：画像ファイルに関連付けられた音声ファイルおよび音声ファイルのアブストラクト情報を画像ファイルの関連付けセグメントに書き込み、音声ファイルのアブストラクト情報は、画像ファイルを取り出すために使用される。
【００２５】
音声ファイルを一意に識別することができる音声ファイルのアブストラクト情報は、音声ファイルから抽出され、音声ファイルおよび音声ファイルのアブストラクト情報は、上記の設定された関連付けセグメントに書き込まれる。
【００２６】
ステップ２３：画像ファイルを再記憶する。
【００２７】
音声ファイルを選択して、画像ファイルに関連付けるとき、音声ファイルが画像ファイルの関連付けセグメントに書き込まれ、画像ファイルが再記憶される。画像ファイルと音声セグメントとの間の関連付けを破棄する必要がある場合、関連付けセグメントにおけるコンテンツをクリアすることができ、画像ファイルが再記憶される。
【００２８】
ユーザは、入力音声セグメントを使用することによって、音声セグメントに関連付けられた画像ファイルを検索することができる。たとえば、ユーザが音声入力機能を使用することによってオーディオストリームセグメントを入力した後、オーディオストリーム上でデータサンプリングを実行して、アブストラクト情報を取得することができ、次いで、検索機能を使用することによって、アブストラクト情報を、音声ファイルのアブストラクト情報を記憶する画像ファイルと一致させ、対応する画像ファイルが取り出される。ユーザによって入力された音声セグメントが画像ファイルに関連付けられた音声ファイルのアブストラクト情報と完全に一致する場合、画像ファイルが一致し得る。そうでない場合、データベースエンジンのファジークエリ機能を使用することによって、ファジー検索を実施することができる。
【００２９】
この実施形態では、画像ファイルに関連付けられた音声ファイルが画像ファイルの関連付けセグメントに直接記憶され、したがって、画像ファイルと音声ファイルとの間の関連付けが実現される。コピー、切り取り、および名前の変更などの編集操作を画像ファイル上で実行した場合でも、関連付けセグメントにおける音声ファイルは失われず、それによって、複雑なファイル関連付け管理を回避する。
【００３０】
図3は、本発明によるメディアファイルを関連付けるための方法の第3の実施形態の流れ図である。この実施形態は、ファイル管理データベースにおける画像ファイルを一例として使用することによって、メディアファイルを関連付けるための方法の技術的な解決策について説明している。図3に示すように、この実施形態は以下を含む。
【００３１】
ステップ３１：ファイル管理データベースにおける「音声セグメントサンプリング」フィールドおよび「音声セグメント」フィールドを設定する。
【００３２】
ファイル管理データベースは一般に、ファイル名、ファイルタイプ、ファイルサイズ、作成日、および変更日などのファイル基本情報、ならびにミュージシャンおよびアルバムなどのメディアファイル特有のプロパティを含む。「音声セグメントサンプリング」フィールドがデータベースに追加された場合、画像ファイルと音声セグメントとの間の関連付けを管理することができる。
【００３３】
ステップ３２：音声ファイルを画像ファイルの「音声セグメント」フィールドに書き込み、音声ファイルのアブストラクト情報を「音声セグメントサンプリング」フィールドに書き込む。
【００３４】
ファイル管理データベースでは、画像ファイルに関連付けられた音声ファイルおよび音声ファイルのアブストラクト情報が記録され、アブストラクト情報は音声ファイルのデータサンプルであってもよく、音声ファイルを一意に識別することができる。好ましくは、記憶スペースを節約するために、音声ファイルを音声セグメントとすることができる。
【００３５】
現在の画像ファイルを選択して、音声セグメントに関連付けるとき、画像ファイルの「音声セグメントサンプリング」フィールドがデータベースで更新され、対応する音声セグメントのアブストラクト情報がそのフィールドに入れられる。現在の画像ファイルと音声セグメントとの間の関連付けを破棄した後、画像ファイルの「音声セグメントサンプリング」フィールドがデータベースで更新され、対応する音声セグメントのアブストラクト情報が削除される。
【００３６】
ステップ３３：画像ファイルを再記憶する。
【００３７】
この実現の解決策は、以下の利点を有する。ユーザが音声入力機能を使用することによってオーディオストリームセグメントを入力した後、オーディオストリームセグメント上でデータサンプリングを実行して、アブストラクト情報を取得することができ、次いで、データベースのクエリ機能を使用することによって、アブストラクト情報が記憶された「音声セグメントサンプリング」フィールドと一致し、対応する写真ファイルを迅速に見つけることができる。
【００３８】
図4は、本発明によるメディアファイルを関連付けるためのデバイスの第1の実施形態の概略構造図である。図4に示すように、デバイスは挿入モジュール41および格納モジュール42を含む。
【００３９】
挿入モジュール41は、第１メディアファイルに関連付けられた第２メディアファイルおよび第２メディアファイルのアブストラクト情報を第１メディアファイルの関連付けセグメントに書き込むように構成され、第２メディアファイルのアブストラクト情報は、第１メディアファイルを取り出すために使用される。
【００４０】
格納モジュール42は、第１メディアファイルを再記憶するように構成される。
【００４１】
図5に示すように、上記の技術的な解決策は、設定モジュール43をさらに含む。
【００４２】
設定モジュールは、第１メディアファイルにおける関連付けセグメントを設定するように構成される。
【００４３】
上記のモジュールの動作原理は、図1、図2、および図3に示す実施形態の説明において開示されており、本明細書ではさらに説明されない。
【００４４】
この実施形態におけるメディアファイルを関連付けるためのデバイスを使用することによって、挿入モジュール41は、第１メディアファイルに関連付けられた第２メディアファイルおよび第２メディアファイルのアブストラクト情報を、設定モジュール43が第１メディアファイルにおいて設定する関連付けセグメントに直接挿入する。関連付けセグメントにおける第２メディアファイルのアブストラクト情報に従って、第１メディアファイルを取り出すことができ、したがって、第１メディアファイルと第２メディアファイルとの間の関連付けが実現される。編集操作(たとえば、切り取り、コピー、または名前の変更)を第１メディアで実行した後、関連付けセグメントにおける第１メディアファイルおよびそのアブストラクト情報は失われない。したがって、複雑なファイル関連付け管理を回避することができる。
【００４５】
図6に示すように、上記の解決策に基づいて、第１メディアファイルの取出しおよび変更などの操作を実行するために、デバイスは、取出しモジュール44、削除モジュール45、および再生モジュール46をさらに含む。
【００４６】
取出しモジュール44は、第１メディアファイルの関連付けセグメントに記憶された第２メディアファイルのアブストラクト情報に従って、第１メディアファイルを取り出すように構成される。
【００４７】
削除モジュール45は、第１メディアファイルにおける関連付けセグメント内のコンテンツを削除するように構成される。
【００４８】
格納モジュール42は、第１メディアファイルにおける関連付けセグメント内のコンテンツが削除された後に、第１メディアファイルを再記憶するようにさらに構成される。
【００４９】
再生モジュール46は、第１メディアファイルを再生するときに、第２メディアファイルを再生するように構成される。
【００５０】
取出しモジュール44は、第１メディアファイルの関連付けセグメントに記憶された第２メディアファイルのアブストラクト情報に従って、第１メディアファイルを取り出すことができる。再生モジュール46は、第１メディアファイルを再生するときに、第２メディアファイルを再生することができる。削除モジュール45が第１メディアファイルにおける関連付けセグメント内のコンテンツを削除した後、格納モジュール42が第１メディアファイルを再記憶する。
【００５１】
この実施形態におけるメディアファイルを関連付けるためのデバイスを使用することによって、編集操作を第１メディアファイルで実行した後、関連付けセグメントにおける第１メディアファイルおよびそのアブストラクト情報は失われず、このことは、複雑なファイル関連付け管理を回避することができる。加えて、第１メディアファイルに記憶された第２メディアファイルのアブストラクト情報に従って、第１メディアファイルを取り出すことができ、第１メディアファイルが画像ファイルであり、第２メディアファイルが音声ファイルであるとき、関連付けられた画像ファイルを音声情報に従って取り出すことができ、画像ファイルを開き、再生するときに、音声ファイルを再生することができる。したがって、この実施形態は、ユーザが画像ファイルを容易に使用することを可能にし、メディアファイルを関連付けるためのユーザの要件を満たす。
【００５２】
前述の実施形態における方法についての説明を通じて、当業者は、必要な一般的なハードウェアプラットフォームを組み合わせることによってソフトウェアを介して、またはハードウェアを介して本発明が実施され得ることを明確に理解することができる。しかし、多くの場合、前者が好ましい実施態様である。これに基づいて、本発明の技術的な解決策または従来技術に貢献する部分を、ソフトウェア製品の形で実質的に具体化することができる。コンピュータソフトウェア製品は、可読記憶媒体、たとえば、コンピュータのフロッピー（登録商標）ディスク、ハードディスク、または光ディスクに記憶され、コンピュータ機器(たとえば、パーソナルコンピュータ、サーバ、またはネットワーク機器)に本発明の実施形態による方法を実行するように命令するために使用されるいくつかの命令を含む。
【００５３】
本発明の実施形態の目的、技術的な解決策、および利点は、上記に詳細に説明されている。いくつかの実施形態を参照しながら本発明について詳細に説明されているが、これらの実施形態は本発明の保護範囲を限定するものではない。本発明の趣旨および原理を逸脱することなく本発明の実施形態に対して行われる任意の変更、等価の置換、または改善は、本発明の保護範囲に入るものとする。
【符号の説明】
【００５４】
41  挿入モジュール
42  格納モジュール
43  設定モジュール
44  取出しモジュール
45  削除モジュール
46  再生モジュール
【図１】
2013534764.tif 000003
【図２】
2013534764.tif 000004
【図３】
2013534764.tif 000005
【図４】
2013534764.tif 000006
【図５】
2013534764.tif 000007
【図６】
2013534764.tif 000008
【手続補正書】
【提出日】平成24年12月21日(2012.12.21)
【手続補正１】
【補正対象書類名】明細書
【補正対象項目名】００２３
【補正方法】変更
【補正の内容】
【００２３】
画像ファイルのファイルヘッダにおける予約済みフィールドを使用して、画像ファイルに関連付けられた音声セグメント情報を記録することができる。たとえば、JPEGファイルの場合、新しいセグメントを追加して音声ファイルを記憶することができ、このセグメントは1から65535の範囲とすることができる。したがって、4.75kbit/sのビットレートを有するAMR(Adaptive Multi-rate:適応型マルチレート)オーディオストリームが記憶される場合、120秒間続く音声セグメントを記憶することができる。加えて、JPEGファイルにおける画像解像度情報を記憶するフィールドまたは地理的な座標情報を記憶するフィールドを使用して、音声ファイルおよびそのアブストラクト情報を記憶することができる。
【手続補正２】
【補正対象書類名】明細書
【補正対象項目名】００４４
【補正方法】変更
【補正の内容】
【００４４】
この実施形態におけるメディアファイルを関連付けるためのデバイスを使用することによって、挿入モジュール41は、第１メディアファイルに関連付けられた第２メディアファイルおよび第２メディアファイルのアブストラクト情報を、設定モジュール43が第１メディアファイルにおいて設定する関連付けセグメントに直接挿入する。関連付けセグメントにおける第２メディアファイルのアブストラクト情報に従って、第１メディアファイルを取り出すことができ、したがって、第１メディアファイルと第２メディアファイルとの間の関連付けが実現される。編集操作(たとえば、切り取り、コピー、または名前の変更)を第１メディアファイルで実行した後、関連付けセグメントにおける第１メディアファイルおよびそのアブストラクト情報は失われない。したがって、複雑なファイル関連付け管理を回避することができる。
【国際調査報告】
2013534764.tif 000009
2013534764.tif 000010
2013534764.tif 000011
2013534764.tif 000012